(57)【要約】【課題】  スナップ結合によって受け部と球頭部との結合を容易に解除することができると共に、球頭部の回転位置を十分に保持することが可能なボールジョイントを提供する。【解決手段】  球頭部１４３と「受け部」とをスナップ結合可能に構成し、結合時、球頭部１４３の表面を、固定部１０２内に配置された弾性部材１２０が常時弾性的に直接的且つ球頭部１４３の表面に沿って押圧する。【選択図】図１
2019163793.tif 000002
【特許請求の範囲】
【請求項１】
球頭部を備えた可動部と、
前記球頭部を保持する受け部を備えた固定部と、を備え、
前記球頭部と前記受け部とは、前記受け部に対して前記球頭部を押し込むことによって結合され且つ前記受け部から前記球頭部を引き抜くことによって結合が解除可能に構成されると共に、
結合時、前記球頭部の表面を、前記固定部内に配置された弾性部材が常時弾性的に直接的且つ前記球頭部の表面に沿って押圧することによって前記球頭部を位置決めしている、
ことを特徴とするスナップ結合式ボールジョイント。
【請求項２】
請求項１において、
前記弾性部材は球面状に凹んだ凹部を備え、当該凹部を形成する球面の半径は、前記球頭部を形成する球面の半径よりも小さくなるように構成される
ことを特徴とするスナップ式ボールジョイント。
【請求項３】
請求項１または２において、
前記固定部は、基台部と当該基台部に対して取り付けられるカバー部と、を有してなり、
前記弾性部材は前記基台部と前記カバー部によって挟持されるように前記固定部内に配置されている
ことを特徴とするスナップ結合式ボールジョイント。
【請求項４】
請求項３において、
前記受け部は、前記カバー部に一体的に形成されている
ことを特徴とするスナップ結合式ボールジョイント。
【請求項５】
請求項４において、
前記受け部には、当該受け部と結合した前記球頭部が抜け落ちることを防止する為の抜け落ち防止突起と、
前記球頭部が受け部側に過剰に入り込まないように規制する為の規制爪が一体的に形成されている
ことを特徴とするスナップ結合式ボールジョイント。
【請求項６】
請求項５において、
前記規制爪には、前記球頭部の表面に対応する球面状の凹面を備え、当該凹面を形成する球面の半径は、前記球頭部を形成する球面の半径と同一とされている
ことを特徴とするスナップ式ボールジョイント。
【請求項７】
請求項１〜６のいずれかにおいて、
前記弾性部材は、前記球頭部の頂点を基準に、３６０°どの方向に対しても同じだけ面接触している
ことを特徴とするスナップ結合式ボールジョイント。
【請求項８】
請求項１〜６のいずれかにおいて、
前記弾性部材は、前記球頭部の頂点を基準に、３６０°どの方向に対しても同じだけ面接触しているのではなく、特定の方向に接触面積が大きくなるように構成されている
ことを特徴とするスナップ結合式ボールジョイント。  
【発明の詳細な説明】
【技術分野】
【０００１】
本発明は、ボールジョイントの技術分野に関し、特に球頭部を押し込み引き抜くことで容易に着脱可能なスナップ結合式ボールジョイントに関する。
【背景技術】
【０００２】
従来から、様々な分野において、何らかの部材を所定の範囲内で所望の角度に位置決め固定するための構造としてボールジョイントが利用されている。
【０００３】
ボールジョイントは、球頭部とこれを支持する受け部とを備えており、受け部に対して球頭部を自転（球頭部の頂点位置が受け部に対して移動しない回転）させたり、回動（球頭部の頂点位置が受け部に対して移動する回転）させることによって、所定の範囲内で所望の角度に特定の部材を位置決め固定することが可能となっている。
【０００４】
例えば、特許文献１においては、受け縁１４（当該段落での符号は、引用文献１で示されている符号をそのまま使用している。）と球面窪所２１が形成された押さえ片２０によって、球状支持部４１が支持される構造のボールジョイントを備えた後視鏡の取り付け機構が開示されている。
【先行技術文献】
【特許文献】
【０００５】
【特許文献１】実開昭５７−３０４５号公報
【発明の概要】
【発明が解決しようとする課題】
【０００６】
しかしながら、特許文献１に記載のボールジョイントは、受け縁の内側から支持アームを通すようにして組み付け、受け縁に球状支持部が引っ掛かるように構成されているものであり、所謂スナップ結合により着脱できる構成でなく、容易に着脱ができるものではなかった。
【０００７】
また、球状支持部を支持するのは、薄い金属で形成された受け縁と押さえ片であるため、繰り返しの使用により球状支持部の摩耗等によって、十分な位置決めができなくなることもある。一方これを嫌って押さえ片による締め付けを強くすると、スムースな位置調整が難しくなったり、微妙な位置調整が却ってやり難くなる等の問題もあった。
【０００８】
そこで本発明は、こういった問題点を解決するべくなされたものであって、スナップ結合によって受け部と球頭部との結合を容易に解除することができると共に、スムースな位置調整及び球頭部の回転位置を十分に保持することが可能なボールジョイントを提供する事をその課題としている。
【課題を解決するための手段】
【０００９】
上記課題を解決するべく、本願発明は、球頭部を備えた可動部と、前記球頭部を保持する受け部を備えた固定部と、を備え、前記球頭部と前記受け部とは、前記受け部に対して前記球頭部を押し込むことによって結合され且つ前記受け部から前記球頭部を引き抜くことによって結合が解除可能に構成されると共に、結合時、前記球頭部の表面を、前記固定部内に配置された弾性部材が常時弾性的に直接的且つ前記球頭部の表面に沿って押圧することによって前記球頭部を位置決めしている、ことを特徴とする。
【００１０】
このように、単にスナップ結合に構造を変更しただけでなく、結合した際に球頭部の表面を直接的且つ球面に沿って押圧する弾性部材を固定部側に設け、この弾性部材で常時押圧することによって、球頭部の位置決めをスムース且つ確実なものとしているのである。
【００１１】
また、前記弾性部材は球面状に凹んだ凹部を備え、当該凹部を形成する球面の半径は、前記球頭部を形成する球面の半径よりも小さくなるように構成されることを特徴とする。
【００１２】
このように構成することで、球頭部が弾性部材の凹部に当接するだけで、弾性部材自身がその弾性力により変形し、球頭部の表面に隙間無く密着するため、効率的に球頭部を押圧でき、結果として球頭部の位置決めを確実とすることができる。また、弾性部材自身の弾性力によって、繰り返しの使用によって仮に弾性部材（若しくは球頭部）の表面が削れる等の事象が生じたとしても、直ちに球頭部の位置決め固定する能力が低下することはない。
【００１３】
また、前記固定部は、基台部と当該基台部に対して取り付けられるカバー部と、を有してなり、前記弾性部材は前記基台部と前記カバー部によって挟持されるように前記固定部内に配置されていることを特徴とする。
【００１４】
このように構成したことによって、部品点数を少なくすることができると共に、事後的に弾性部材の交換も容易に行うことができる。また、素材やサイズ、更には弾性力が異なる弾性部材に交換することもできるので、目的に応じて球頭部の位置決め固定力を変更することも容易である。
【００１５】
また、前記受け部は、前記カバー部に一体的に形成されていることを特徴とする。
【００１６】
このように構成することにより、部品点数を少なくすることができる。
【００１７】
また、前記受け部には、当該受け部と結合した前記球頭部が抜け落ちることを防止する為の抜け落ち防止突起と、前記球頭部が受け部側に過剰に入り込まないように規制する為の規制爪が一体的に形成されていることを特徴とする。
【００１８】
このように構成することにより、部品点数を少なくすることができると共に、規制爪と抜け落ち防止突起とで球頭部を無理なく保持することができ、且つ、球頭部と弾性部材とが過度に密着しないようにコントロールすることが可能となっている。
【００１９】
また、前記規制爪には、前記球頭部の表面に対応する球面状の凹面を備え、当該凹面を形成する球面の半径は、前記球頭部を形成する球面の半径と同一とされていることを特徴とする。
【００２０】
このように構成したことにより、球頭部を確実に規制することができることに加えて、球頭部の回転を過度に阻害することがないため、球頭部の回転や回動をスムースに行うことができる。
【００２１】
また、前記弾性部材は、前記球頭部の頂点を基準に、３６０°どの方向に対しても同じだけ面接触していることを特徴とする。
【００２２】
このように構成することによって、球頭部をどの方向に回動させる場合においても、均一な球頭部の位置決め固定力を発揮させることができる。
【００２３】
また、前記弾性部材は、前記球頭部の頂点を基準に、３６０°どの方向に対しても同じだけ面接触しているのではなく、特定の方向に接触面積が大きくなるように構成されていることを特徴とする。
【００２４】
このように構成することによって、球頭部を特定の方向へ回動させる場合には強い位置決め固定力を発揮させ、特定の方向以外の方向に回動させる場合には、弱い位置決め固定力を発揮させることができる。即ち、球頭部を動かす際に、動かす方向によって位置決め固定力を変化させることが可能となっている。
【発明の効果】
【００２５】
本発明を適用することで、スナップ結合によって受け部と球頭部との結合を容易に解除することができると共に、球頭部の回転位置を十分に保持することができる。
【図面の簡単な説明】
【００２６】
【図１】本発明の実施形態の一例であるボールジョイントの固定部側から見た分解図である。
【図２】本発明の実施形態の一例であるボールジョイントの可動部側から見た分解図である。
【図３】（Ａ）はボールジョイントを可動部側から見た斜視図であり、（Ｂ）はボールジョイントを固定部側から見た斜視図である。
【図４】ボールジョイントの正面図である。
【図５】ボールジョイントの側面図である。
【図６】図３（Ａ）における矢視ＶＩ−ＶＩ線に沿う断面図である。
【図７】図３（Ａ）における矢視ＶＩＩ−ＶＩＩ線に沿う断面図である。
【図８】図３（Ａ）における矢視ＶＩＩＩ−ＶＩＩＩ線に沿う断面図である。
【図９】固定部単体の平面図である。
【図１０】固定部に対して、可動部をスナップ結合する手順の一例を示した図である。
【図１１】可動部が動いた状態を示した図である。
【図１２】球頭部を頂点側から見た図であって、弾性部材が球頭部に接触している領域を模式的に示した図である。
【発明を実施するための形態】
【００２７】
以下、添付図面を参照しつつ、本発明の実施形態の一例であるボールジョイント１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２８】
〈スナップ結合式ボールジョイントの構成〉
図１及び図２において示しているように、本発明の実施形態の一例として示したボールジョイント１００は、固定部１０２と、可動部１４０とを有して構成される。更に固定部１０２は、基台部１１０、弾性部材１２０及びカバー部１３０の３つの部品から構成される。
【００２９】
可動部１４０は、略矩形に形成された可動部プレート１４１と、当該可動部プレート１４１の中心から立設された球頭支持棒１４２と、当該球頭支持棒１４２の先端に形成された球頭部１４３と、を有してなる。本実施形態においては、これらは全て樹脂により一体成形されている。なお、符号１４３ａは球頭部１４３の頂点である。
【００３０】
固定部１０２は、基台部１１０、弾性部材１２０及びカバー部１３０の３つの部品から構成されるが、弾性部材１２０は基台部１１０及びカバー部１３０によって上下から挟持されるように保持固定される。
【００３１】
基台部１１０は、略円形の基台底部１１１の周縁部分が隆起して基台壁部１１２を成し、丸型のお盆のような形状に構成される。基台壁部１１２の２箇所には、後述するカバー部１３０を組み付け固定するための切り欠き部１１３が形成される。また、基台壁部１１２が隆起している側の基台底部１１１の表面には、略十字型に形成された固定突起１１４が形成される。
【００３２】
弾性部材１２０は、弾性変性する材料で構成されており、平面視及び底面視すると「＋」型の柱様の形状として構成される。また、当該弾性部材１２０の一方側の端面には、球面状に凹んだ凹部１２２が形成されている。この凹部１２２は、可動部１４０の球頭部１４３が直接接触する面であり、自由状態においては球頭部１４３よりも小さく構成される。即ち、球頭部１４３の球面の半径をｒ１とすると、当該球状に凹んだ凹部１２２の半径ｒ２は、ｒ１＞ｒ２となるように構成されている。また、当該弾性部材１２０における凹部１２２が形成されていない方の端面が、基台部１１０に形成された固定突起１１４の内側に嵌まり込むように組み付けられる。
【００３３】
カバー部１３０は、基台部１１０よりも一回り小さな平面視円形の略ドーム型に構成されており、中央に開口１３３が形成されている。カバー部１３０のカバー壁部１３１は、ちょうど基台壁部１１２の内側に嵌まり込むサイズとされる。また、カバー壁部１３１の２箇所には係止爪１３２が形成されており、基台部１１０に設けられた切り欠き部１２１に係合して、基台部１１０とカバー部１３０とを組み付け固定する事が可能とされている。
【００３４】
カバー部１３０の外側（上側）には、２つの抜け落ち防止突起１３５が一体成形される。図６の断面図から明らかなように、この抜け落ち防止突起１３５の上部は、開口部１３３よりも内側に突出して構成されているので、球頭部１４３がこの抜け落ち防止突起１３５を超えて嵌入された場合は、一定の力を加えて引き抜かない限り抜け落ちることはない。また、カバー部１３０の内側（下側）には、４つの規制爪１３４が一体形成される。この４つの規制爪１３４には夫々球状の凹面１３４ａ（図８参照）が形成されており、当該凹面１３４ａによって、球頭部１４３を支持することが可能となっている。これら４つの凹面１３４ａは、可動部における球頭部１４３ａが当たる面であり、球頭部１４３の球面の半径r１と同一若しくは僅かに大きな半径で構成された球面として構成されている。なお、開口部１３３、抜け落ち防止突起１３５及び規制爪１３４が全体として球頭部を支持する「受け部」として機能する。
【００３５】
弾性部材１２０は、これら基台部１１０及びカバー部１３０に上下から挟持されるようにして固定される。弾性部材１２０の下端（凹部１２２が形成されていない側）は、基台部１１０に形成された固定突起１１４に嵌まるように組み付けられ、他端側（凹部１２２が形成される側）は、カバー部１３０に形成された４つの係止爪１３４の間に入り込むようにして組み付けられる。よって、上下方向は基台部１１０及びカバー部１３０によって挟持されると同時に回転方向（上下方向を軸とした場合に当該軸を中心とした回転方向）は、固定突起１１４及び係止爪１３４によって規制される。
【００３６】
〈スナップ結合式ボールジョイントの作用・機能〉
スナップ結合式ボールジョイント１００は、基本的には最初に固定部１０２を組み立てた後、可動部１４０に備わる球頭部１４３を固定部１０２の「受け部」（開口部１３３、抜け落ち防止突起１３５及び規制爪１３４）に押し込み嵌め込んで完成する（図１０参照）。もちろん、固定部１０２を組み立てる前に、カバー部１３０に球頭部１４３を嵌め込んでおき、その後で弾性部材１２０を挟み込むようにして基台部１１０を組み付けるようにして完成させることもできる。
【００３７】
図６〜図８の断面図からも明らかなように、球頭部１４３の表面と弾性部材１２０の凹部１２２は弾性的に密着している。この密着によって、球頭部１４３の位置が適切に位置決め固定されるのである。これら断面図においては、球頭部１４３が既に弾性部材１２０の凹部１２２に密着しているので、「球頭部１４３を形成する球面の半径」と凹部を形成する球面の半径」は同一に描かれているが、弾性部材１２０に何らの力も掛かっていない自由状態においては、凹部１２２を形成する球面の半径は、球頭部１４３を形成する球面の半径よりも小さくなるように構成されており、球頭部１４３を「受け部」（開口部１３３、抜け落ち防止突起１３５及び規制爪１３４）に押し込んで両者を結合させることによって球頭部１４３の押圧力によって弾性部材１２０の凹部１２２が広がるように変形し、断面図に示した状態となるのである。
【００３８】
なお、上記説明において、「固定部」及び「可動部」という表現をしているが、これは両者の相対的な位置関係を示したものに過ぎず、固定部１０２が常に固定されていることを示すものではない。例えば可動部１４０側を何らかの部材に固定しておき、固定部１０２を可動部１４０に対して動かすといった使い方をしてもよい。
【００３９】
上記構成でも説明したように、本願発明の実施形態の一例として示したスナップ結合式ボールジョイント１００は、球頭部１４３を備えた可動部１４０と、球頭部１４３を保持する「受け部」（開口部１３３、抜け落ち防止突起１３５及び規制爪１３４）を備えた固定部１０２と、を備え、球頭部１４３と「受け部」（開口部１３３、抜け落ち防止突起１３５及び規制爪１３４）とは、「受け部」（開口部１３３、抜け落ち防止突起１３５及び規制爪１３４）に対して球頭部１４３を押し込むことによって結合され且つ「受け部」（開口部１３３、抜け落ち防止突起１３５及び規制爪１３４）から球頭部１４３を引き抜くことによって両者の結合が解除可能に構成（所謂スナップ結合）されると共に、結合時、球頭部１４３の表面を、固定部１０２内に配置された弾性部材１２０（の凹部１２２）が常時弾性的に直接的且つ球頭部１４３の表面に沿って押圧することによって球体部１４３を位置決めし、球頭部１４３の位置決めをスムース且つ確実なものとしているのである。
【００４０】
また、弾性部材１２０は球面状に凹んだ凹部１２２を備え、当該凹部１２２を形成する球面の半径は、球頭部１４３を形成する球面の半径よりも小さくなるように構成されることを特徴とする。
【００４１】
このように構成したことによって、球頭部１４３が弾性部材１２０の凹部１２２に当接するだけで、弾性部材１２０自身がその弾性力により変形し、球頭部１４３の表面に隙間無く密着するため、効率的に球頭部１４３を押圧でき、結果として球頭部１４３の位置決めを確実とすることができる。また、弾性部材１２０自身の弾性力によって、繰り返しの使用によって仮に弾性部材１２０（若しくは球頭部１４３）の表面が削れる等の事象が生じたとしても、直ちに球頭部１４３の位置決め固定する能力が低下することはない。
【００４２】
また、固定部１０２は、基台部１１０と基台部１１０に対して取り付けられるカバー部１３０と、を有してなり、弾性部材１２０はこれら基台部１１０とカバー部１３０によって挟持されるように固定部１０２内に配置されていた。更に「受け部」（開口部１３３、抜け落ち防止突起１３５及び規制爪１３４）は、カバー部１３０に一体的に形成されていた。
【００４３】
このように構成したことによって、部品点数を少なくすることができると共に、事後的に弾性部材１２０の交換も容易に行うことができる。また、素材やサイズ、更には弾性力が異なる弾性部材１２０に交換することもできるので、目的に応じて球頭部１４３の位置決め固定力を変更することも容易である。更に、規制爪１３４の存在によって、球頭部１４３と弾性部材１２０とが過度に密着しないようにコントロールすることが可能となっている。
【００４４】
また、規制爪１３４には、球頭部１４３の表面に対応する球面状の凹面１３４ａを備え、当該凹面１３４ａを形成する球面の半径は、球頭部１４３を形成する球面の半径と同一若しくは僅かに大きくなるように構成されている(図８参照)。
【００４５】
このように構成したことにより、球頭部１４３を確実に規制（球頭部１４３が、過度に固定部１０２側に押し込まれることがない。）することができる。更に球頭部１４３の回転を過度に阻害することがないため、球頭部１４３の回転や回動をスムースに行うことができる。
【００４６】
また、上述した構成においては、弾性部材１２０は、球頭部１４３の頂点を基準に、３６０°どの方向に対しても同じだけ面接触しているのではなく、特定の方向に接触面積が大きくなるように構成されていた。具体的には、弾性部材１２０を平面視すると「＋」形状となっていたので、球頭部１４３を頂点１４３ａ側から見ると図１２（Ａ）として示した斜線部分が球頭部１４３と弾性部材１２０との接触領域αとなる。
【００４７】
このように構成していることによって、球頭部１４３を特定の方向（図１２（Ａ）においては上下及び左右方向）へ回動させる場合には強い位置決め固定力を発揮させ、特定の方向以外の方向（図１２（Ａ）においては左斜め上方向、左斜め下方向、右斜め上方向及び右斜め下方向）に回動させる場合には、弱い位置決め固定力を発揮させることができる。即ち、球頭部１４３を動かす際に、動かす方向によって位置決め固定力（動かすために必要な力）を変化させることが可能となっている。もちろん、図１２（Ｃ）として示しているように左右方向（上下方向でもよい）だけに強い位置決め固定力を発揮させるべく、弾性部材を平面視「−」型に構成することも可能である。
【００４８】
更には、弾性部材１２０は、図１２（Ｂ）として示したように、球頭部１４３の頂点を基準に、３６０°どの方向に対しても同じだけ面接触するように構成してもよい。
【００４９】
このように構成することによって、球頭部をどの方向に回動させる場合においても、均一な球頭部１４３の位置決め固定力を発揮させることができる。
【００５０】
〈その他の構成例〉
上記では、スナップ結合式ボールジョイント単体を例に説明しているが、これを連続的に複数繋いで「フレキシブルアーム」のような使い方も可能である。
【符号の説明】
【００５１】
１００・・・ボールジョイント
１０２・・・固定部
１１０・・・基台部
１１１・・・基台底部
１１２・・・基台壁部
１１３・・・係止爪用穴
１１４・・・固定突起
１２０・・・弾性体
１２１・・・切り欠き部
１２２・・・凹部（球状凹部）
１３０・・・カバー部
１３１・・・カバー壁部
１３２・・・係止爪
１３３・・・開口部
１３４・・・規制爪
１３４ａ・・・規制爪凹面
１３５・・・抜け落ち防止突起
１４０・・・可動部
１４１・・・可動部プレート
１４２・・・球頭支持棒
１４３・・・球頭部
１４３ａ・・・球頭部頂点
【図１】
2019163793.tif 000003
【図２】
2019163793.tif 000004
【図３】
2019163793.tif 000005
【図４】
2019163793.tif 000006
【図５】
2019163793.tif 000007
【図６】
2019163793.tif 000008
【図７】
2019163793.tif 000009
【図８】
2019163793.tif 000010
【図９】
2019163793.tif 000011
【図１０】
2019163793.tif 000012
【図１１】
2019163793.tif 000013
【図１２】
2019163793.tif 000014
【手続補正書】
【提出日】平成30年6月4日(2018.6.4)
【手続補正１】
【補正対象書類名】特許請求の範囲
【補正対象項目名】請求項２
【補正方法】変更
【補正の内容】
【請求項２】
請求項１において、
前記弾性部材は球面状に凹んだ凹部を備え、当該凹部を形成する球面の半径は、前記球頭部を形成する球面の半径よりも小さくなるように構成される
ことを特徴とするスナップ結合式ボールジョイント。
【手続補正２】
【補正対象書類名】特許請求の範囲
【補正対象項目名】請求項６
【補正方法】変更
【補正の内容】
【請求項６】
請求項５において、
前記規制爪には、前記球頭部の表面に対応する球面状の凹面を備え、当該凹面を形成する球面の半径は、前記球頭部を形成する球面の半径と同一とされている
ことを特徴とするスナップ結合式ボールジョイント。
【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
球頭部を備えた可動部と、
前記球頭部を保持する受け部を備えた固定部と、を備え、
前記球頭部と前記受け部とは、前記受け部に対して前記球頭部を押し込むことによって結合され且つ前記受け部から前記球頭部を引き抜くことによって結合が解除可能に構成されると共に、
結合時、前記球頭部の表面を、前記固定部内に配置された弾性部材が常時弾性的に直接的且つ前記球頭部の表面に沿って押圧することによって前記球頭部を位置決めし、
更に、前記弾性部材は球面状に凹んだ凹部を備え、当該凹部を形成する球面の半径は、前記球頭部を形成する球面の半径よりも小さくなるように構成される
ことを特徴とするスナップ結合式ボールジョイント。
【請求項２】
請求項１において、
前記固定部は、基台部と当該基台部に対して取り付けられるカバー部と、を有してなり、
前記弾性部材は前記基台部と前記カバー部によって挟持されるように前記固定部内に配置されている
ことを特徴とするスナップ結合式ボールジョイント。
【請求項３】
請求項２において、
前記受け部は、前記カバー部に一体的に形成されている
ことを特徴とするスナップ結合式ボールジョイント。
【請求項４】
請求項３において、
前記受け部には、当該受け部と結合した前記球頭部が抜け落ちることを防止する為の抜け落ち防止突起と、
前記球頭部が受け部側に過剰に入り込まないように規制する為の規制爪が一体的に形成されている
ことを特徴とするスナップ結合式ボールジョイント。
【請求項５】
請求項４において、
前記規制爪には、前記球頭部の表面に対応する球面状の凹面を備え、当該凹面を形成する球面の半径は、前記球頭部を形成する球面の半径と同一とされている
ことを特徴とするスナップ結合式ボールジョイント。
【請求項６】
請求項１〜５のいずれかにおいて、
前記弾性部材は、前記球頭部の頂点を基準に、３６０°どの方向に対しても同じだけ面接触している
ことを特徴とするスナップ結合式ボールジョイント。
【請求項７】
請求項１〜５のいずれかにおいて、
前記弾性部材は、前記球頭部の頂点を基準に、３６０°どの方向に対しても同じだけ面接触しているのではなく、特定の方向に接触面積が大きくなるように構成されている
ことを特徴とするスナップ結合式ボールジョイント。